(57)【要約】【課題】回路構造を単純化することの可能な液晶装置を提供することを課題とする。【解決手段】液晶装置は、ガンマ補正回路と、デジタル・アナログ変換回路と、調整回路と、を備える。ガンマ補正回路は、複数の互いに異なる色のうち、いずれか１つの色のガンマ特性を基に、入力された複数の色の各色の画像データの階調値の補正を行う。デジタル・アナログ変換回路は、階調値の補正が行われた複数の色の各色の画像データをアナログ信号に変換した複数の色の各色の出力信号を生成する。調整回路は、複数の色の各色の出力信号のうち、１つの色以外の各色の出力信号を、１つの色以外の各色のガンマ特性に基づいて調整する。このようにすることで、各色毎にガンマ特性を示すルックアップテーブルを持つ必要がなくなるので、ガンマ特性を示すルックアップテーブルを記憶するメモリの容量を小さくすることができ、ガンマ補正回路を単純化することができる。【選択図】図１
2008180933.tif 000002
【特許請求の範囲】
【請求項１】
複数の互いに異なる色のうち、いずれか１つの色のガンマ特性を基に、入力された複数の色の各色の画像データの階調値の補正を行うガンマ補正回路と、
前記階調値の補正が行われた複数の色の各色の画像データをアナログ信号に変換した複数の色の各色の出力信号を生成するデジタル・アナログ変換回路と、
前記複数の色の各色の出力信号のうち、前記１つの色以外の各色の出力信号を、前記１つの色以外の各色のガンマ特性に基づいて調整する調整回路と、を備えることを特徴とする液晶装置。
【請求項２】
前記調整回路は、前記１つの色以外の各色の出力信号に対し夫々、前記１つの色以外の各色のガンマ特性を基に求められた所定の値の電圧を増減することを特徴とする請求項１に記載の液晶装置。
【請求項３】
前記調整回路は、前記１つの色以外の各色の出力信号を夫々、前記１つの色以外の各色のガンマ特性を基に求められた所定の値で増幅又は減幅することを特徴とする請求項１に記載の液晶装置。
【請求項４】
前記所定の値は、前記１つの色以外の各色の出力信号の階調値を夫々、前記１つの色以外の各色のガンマ特性を基に補正されたとしたときの前記１つの色以外の各色の階調値に合わせるように設定されていることを特徴とする請求項２又は３に記載の液晶装置。
【請求項５】
請求項１乃至４のいずれか一項に記載の液晶装置を表示部に備えることを特徴とする電子機器。
【発明の詳細な説明】
【技術分野】
【０００１】
本発明は、各種情報の表示に用いて好適な液晶装置に関する。
【背景技術】
【０００２】
画像データを表示する液晶装置においては、表示デバイスの特性に応じて画像データの表示特性を調整する処理が行われる。典型的な画像処理としては、入力した画像データに対して、表示デバイスの特性に応じた階調特性処理（以下では、この処理を「ガンマ補正」と称す）を行って表示デバイスに画像を表示する処理が挙げられる。
【０００３】
一般的な液晶装置では、ＲＧＢの各色の画像データに対して、ガンマ補正が行われるため、ＲＧＢの各色毎にガンマ補正のための回路を有している。
【０００４】
しかしながら、ＲＧＢの各色毎にガンマ補正のための回路を液晶装置に備えることは、液晶装置の回路構造を複雑にし、コストの上昇や開発期間の長期化を招くこととなる。
【０００５】
なお、以下の特許文献１に記載の技術では、ソースドライバを全てデジタル回路で構成することにより、増幅器や階調電源を不要にし、部品点数を削減している。
【０００６】
【特許文献１】特開２００４−１１７５９８号公報
【発明の開示】
【発明が解決しようとする課題】
【０００７】
本発明は上記の点に鑑みてなされたものであり、回路構造を単純化することの可能な液晶装置を提供することを課題とする。
【課題を解決するための手段】
【０００８】
本発明の１つの観点では、液晶装置は、複数の互いに異なる色のうち、いずれか１つの色のガンマ特性を基に、入力された複数の色の各色の画像データの階調値の補正を行うガンマ補正回路と、前記階調値の補正が行われた複数の色の各色の画像データをアナログ信号に変換した複数の色の各色の出力信号を生成するデジタル・アナログ変換回路と、前記複数の色の各色の出力信号のうち、前記１つの色以外の各色の出力信号を、前記１つの色以外の各色のガンマ特性に基づいて調整する調整回路と、を備える。
【０００９】
上記の液晶装置は、ガンマ補正回路と、デジタル・アナログ変換回路と、調整回路と、を備える。ガンマ補正回路は、複数の互いに異なる色のうち、いずれか１つの色のガンマ特性を基に、入力された複数の色の各色の画像データの階調値の補正を行う。デジタル・アナログ変換回路は、前記階調値の補正が行われた複数の色の各色の画像データをアナログ信号に変換した複数の色の各色の出力信号を生成する。調整回路は、前記複数の色の各色の出力信号のうち、前記１つの色以外の各色の出力信号を、前記１つの色以外の各色のガンマ特性に基づいて調整する。このようにすることで、各色毎にガンマ特性を示すルックアップテーブルを持つ必要がなくなるので、ガンマ特性を示すルックアップテーブルを記憶するメモリの容量を小さくすることができ、ガンマ補正回路を単純化することができる。
【００１０】
上記の液晶装置の好適な実施例は、前記調整回路は、前記１つの色以外の各色の出力信号に対し夫々、前記１つの色以外の各色のガンマ特性を基に求められた所定の値の電圧で増減する。この場合、前記調整回路は、例えば、加算回路又は減算回路である。
【００１１】
上記の液晶装置の好適な実施例は、前記調整回路は、前記１つの色以外の各色の出力信号を夫々、前記１つの色以外の各色のガンマ特性を基に求められた所定の値で増幅又は減幅する。この場合、前記調整回路は、例えば、オフセット回路である。
【００１２】
上記の液晶装置の具体例は、前記所定の値は、前記１つの色以外の各色の出力信号の階調値を夫々、前記１つの色以外の各色のガンマ特性を基に補正されたとしたときの前記１つの色以外の各色の階調値に合わせるように設定されている。これにより、正しくガンマ補正された画像を表示画面に表示することができる。
【００１３】
本発明の他の観点では、上記の液晶装置を表示部に備えることを特徴とする電子機器を構成することができる。
【発明を実施するための最良の形態】
【００１４】
以下、図面を参照して本発明の好適な実施の形態について説明する。
【００１５】
[第１実施形態]
まず、本発明の第１実施形態について説明する。図１は、第１実施形態に係る液晶装置１００の概略構成を示すブロック図である。液晶装置１００は、画像データ出力源１０と、ガンマ補正回路１１と、デジタル・アナログ変換（ＤＡＣ：Ｄｉｇｉｔａｌ  Ａｎａｌｏｇ  Ｃｏｎｖｅｒｔｅｒ）回路１２と、加算回路１３と、出力回路１４と、液晶表示パネル１５より構成される。なお、ガンマ補正回路１１は、メモリ１６を備えている。
【００１６】
液晶装置１００は、例えば、ＴＦＴ（Ｔｈｉｎ  Ｆｉｌｍ  Ｔｒａｎｓｉｓｔｏｒ）方式の液晶装置である。ＴＦＴ方式の液晶装置１００では、液晶表示パネル１５は、相互に対向する２枚の基板のうち、一方の基板に走査電極及び信号電極が形成され、他方の基板に共通電極が形成されている。両基板間には液晶層が封入されている。走査電極及び信号電極と液晶層との間には、スイッチング素子として例えばα−Ｓｉ型ＴＦＴ素子が介挿されている。液晶表示パネル１５は、照明装置などによって、液晶層に光を透過させることで、表示画面に画像を表示する。液晶層には、走査電極と信号電極の夫々に信号が供給されることで、電圧が印加される。液晶層に電圧が印加されることで、液晶の配向が変えられ、表示される画像の階調が変えられる。
【００１７】
画像データ出力源１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリと、磁気記録ディスクや光記録ディスク等からなるストレージユニットと、デジタル画像信号を同調出力する同調回路とを備え、図示しないタイミングジェネレータによって生成された各種のクロック信号に基づいて、所定フォーマットの画像データを、ガンマ補正回路１１に供給する。
【００１８】
ガンマ補正回路１１は、画像データ出力源１０より供給されたＲＧＢの各色の画像データＲ１、Ｇ１、Ｂ１に対し、ガンマ補正を行う。メモリ１６には、ガンマ特性を示すルックアップテーブル（ＬＵＴ）が、入力階調値と出力階調値のテーブルとして記憶されている。ガンマ補正回路１１は、ＲＧＢの各色の画像データＲ１、Ｇ１、Ｂ１より求められる各色の階調値を入力階調値として、メモリ１６に記憶されているガンマ特性を示すＬＵＴを基に、当該入力階調値に対応する出力階調値を求める。そして、ガンマ補正回路１１は、求められたＲＧＢの各色の出力階調値を、ＲＧＢの各色の画像データＲ２、Ｇ２、Ｂ２としてＤＡＣ回路１２に供給する。ガンマ補正回路１１については、後に詳しく説明する。
【００１９】
ＤＡＣ回路１２は、ガンマ補正されたＲＧＢの各色の画像データＲ２、Ｇ２、Ｂ２をアナログ信号に変換し、アナログ信号に変換されたＲＧＢの各色の出力信号Ｒ３、Ｇ３、Ｂ３を加算回路１３に供給する。
【００２０】
加算回路１３は、ＲＧＢの各色の出力信号Ｒ３、Ｇ３、Ｂ３に一定の電圧を加え、電圧が加えられたＲＧＢの各色の出力信号Ｒ４、Ｇ４、Ｂ４を、出力回路１４に供給する。加算回路１３が、本発明における調整回路として機能する。加算回路１３については、後に詳しく説明する。
【００２１】
出力回路１４は、ＲＧＢの各色の出力信号Ｒ４、Ｇ４、Ｂ４を増幅して、増幅された出力信号Ｒ５、Ｇ５、Ｂ５を、液晶表示パネル１５の信号電極に出力する。これにより、液晶表示パネル１５の表示画面には、画像が表示される。
【００２２】
（ガンマ補正回路と加算回路の関係）
図２は、液晶表示パネル１５のＲＧＢの各画素における、液晶層に印加される電圧と当該液晶層の透過率の関係を示すグラフである。グラフ３１Ｒは、Ｒの画素における、液晶層に印加される電圧と当該液晶層の透過率の関係を示し、グラフ３１Ｇは、Ｇの画素における、液晶層に印加される電圧と当該液晶層の透過率の関係を示し、グラフ３１Ｂは、Ｂの画素における、液晶層に印加される電圧と当該液晶層の透過率の関係を示している。なお、液晶表示パネル１５は、ノーマリーホワイトの液晶表示パネルであるとする。ここで、液晶表示パネル１５のＲＧＢの各画素における液晶層に、電圧Ｖｓが印加されたとする。この場合、図２に示すように、ＲＧＢの各画素における液晶層に同じ電圧Ｖｓが印加されたとしても、ＲＧＢの各画素の透過率は、全て同じ透過率とはならず、夫々異なった透過率ＴＲ、ＴＧ、ＴＢとなる。
【００２３】
図３は、液晶表示パネル１５における入力階調値と出力階調値の関係を示すグラフである。グラフ３２Ｒは、Ｒの画像についての入力階調値と出力階調値の関係を示すグラフであり、グラフ３２Ｇは、Ｇの画像についての入力階調値と出力階調値の関係を示すグラフであり、グラフ３２Ｂは、Ｂの画像についての入力階調値と出力階調値の関係を示すグラフである。先に述べたように、ＲＧＢの各画素の透過率は、各画素の液晶層に同じ電圧Ｖｓが印加されたとしても、全て同じ透過率とはならず、夫々異なった透過率となる。そのため、グラフ３２Ｒ、３２Ｇ、３２Ｂに示すように、液晶表示パネル１５に入力されたＲＧＢの各色の画像データの入力階調値が全て同じであったとしても、実際に液晶表示パネル１５に表示される画像の出力階調値は、ＲＧＢの各色で異なったものとなる。
【００２４】
そのため、一般的な液晶装置では、ＲＧＢの各色のガンマ特性を示すＬＵＴをメモリに記憶しておき、ガンマ補正回路は、ＲＧＢの各色の画像データ夫々について、ＲＧＢの各色のガンマ特性を示すＬＵＴを用いて、ガンマ補正を行っている。ガンマ補正回路は、具体的には、γ＝出力階調値／入力階調値＝１となるように、階調値を補正する。従って、このとき、Ｒの色を示すガンマ特性のＬＵＴの入力階調値と出力階調値の関係は、グラフ３３Ｒ上の点で示され、Ｇの色を示すガンマ特性のＬＵＴの入力階調値と出力階調値の関係は、グラフ３３Ｇ上の点で示され、Ｂの色を示すガンマ特性のＬＵＴの入力階調値と出力階調値の関係は、グラフ３３Ｂ上の点で示される。
【００２５】
第１実施形態に係る液晶装置１００では、メモリ１６は、ＲＧＢの各色のうち、１つの色のガンマ特性を示すＬＵＴのみを記憶している。例えば、ここでは、メモリ１６は、Ｒの色のガンマ特性を示すＬＵＴのみを記憶しているとする。このとき、ガンマ補正回路１１は、ＲＧＢの各色の画像データＲ１、Ｇ１、Ｂ１の階調値を入力階調値として、Ｒの色のガンマ特性を示すＬＵＴを用いて、入力階調値に対応する出力階調値を求める。そして、ガンマ補正回路１１は、求められたＲＧＢの各色の出力階調値を、ＲＧＢの各色の画像データＲ２、Ｇ２、Ｂ２としてＤＡＣ回路１２に供給する。
【００２６】
このとき、Ｒの色の画像データＲ２の階調値は、正しい出力階調値にガンマ補正されているものの、当然のことながら、ＧＢの各色の画像データＧ２、Ｂ２の階調値は、正しい出力階調値にガンマ補正されていない。例えば、図３において、ＲＧＢの各色の画像データＲ１、Ｇ１、Ｂ１の階調値が全てＫｉだとすると、正しい出力階調値にガンマ補正された場合、ＲＧＢの各色の画像データＲ２、Ｇ２、Ｂ２の階調値は夫々、ＫｏＲ、ＫｏＧ、ＫｏＢとなるはずである。しかし、第１実施形態に係る液晶装置１００では、ガンマ補正回路１１は、Ｒの色のガンマ特性を示すＬＵＴのみを用いるため、ＲＧＢの各色の画像データＲ２、Ｇ２、Ｂ２の階調値は全て、ＫｏＲとなる。従って、ＧＢの各色の画像データＧ２、Ｂ２は、正しい出力階調値にガンマ補正されたときと比較して、その階調値が大きくずれてしまう。なお、ここで、図３より、ＫｏＲ−ＫｏＧ＜ＫｏＲ−ＫｏＢとなるので、Ｂの色の階調値のずれの方が、Ｇの色の階調値のずれよりも大きいことが分かる。
【００２７】
そこで、第１実施形態に係る液晶装置１００では、加算回路１３が設けられている。加算回路１３では、入力されたＲＧＢの各色の出力信号Ｒ３、Ｇ３、Ｂ３のうち、ＧＢの各色の出力信号Ｇ３、Ｂ３について夫々、電圧の調整を行う。具体的には、液晶装置１００は、ノーマリーホワイトの液晶装置であるので、加算回路１３は、ＧＢの各色の出力信号Ｇ３、Ｂ３について夫々、一定の電圧を加える調整を行い、調整が行われたＧＢの各色の出力信号Ｇ３、Ｂ３を、ＧＢの各色の出力信号Ｇ４、Ｂ４として出力回路１４に供給する。一方、加算回路１３は、Ｒの色の出力信号Ｒ３については、正しい階調値にガンマ補正されているので、調整を行わず、そのまま、Ｒの色の出力信号Ｒ４として出力回路１４に供給する。
【００２８】
ここで、Ｇの色の出力信号Ｇ３に加える電圧の大きさをｖｌｇとし、Ｂの色の出力信号Ｂ３に加える電圧の大きさをｖｌｂとする。このｖｌｇ、ｖｌｂの求め方としては、まず、液晶表示パネル１５の特性を基に、実験などにより、ＲＧＢの各色のガンマ特性を示すグラフ３３Ｒ、３３Ｇ、３３Ｂを予め求めておく。次に、補正回路１１においてＲの色のガンマ特性を用いて求められたＧの色の出力階調値を、Ｇの色のガンマ特性を用いて求められたとした場合のＧの色の出力階調値に調整可能な電圧の大きさを、ｖｌｇとして求める。また、補正回路１１においてＲの色のガンマ特性を用いて求められたＢの色の出力階調値を、Ｂの色のガンマ特性を用いて求められたとした場合のＢの色の出力階調値に調整可能な電圧の大きさを、ｖｌｂとして求める。従って、ｖｌｇ、ｖｌｂが、本発明における所定の値となる。
【００２９】
図４は、第１実施形態にとって好適な液晶装置１００のＲＧＢの各色のガンマ特性を示すグラフである。図４に示すグラフでは、どの入力階調値に対しても、ＧＢの各色のガンマ特性のグラフ３４Ｇ、３４Ｂより求められるＧＢの色の出力階調値と、Ｒの色のガンマ特性のグラフ３４Ｒより求められるＲの色の出力階調値との差は、常に一定の差分ΔγＲＧ、ΔγＲＢとなっている。このように、差分ΔγＲＧ、ΔγＲＢが、常に一定の差分となっている場合には、増加量ｖｌｇ、ｖｌｂも一定の電圧として求めることができる。
【００３０】
なお、ここで、Ｂの色の階調値のずれの方が、Ｇの色の階調値のずれよりも大きいので、ノーマリーホワイトの液晶装置１００では、一定の電圧ｖｌｇ、ｖｌｂは、ｖｌｂ＞ｖｌｇとなる。
【００３１】
以上に述べたことから分かるように、加算回路１３において、増加量ｖｌｇ、ｖｌｂは、補正回路１１においてＲの色のガンマ特性を基に補正されたＧＢの各色の階調値を夫々、ＧＢの各色のガンマ特性を基に補正されたとしたときの当該ＧＢの各色の階調値に合わせるように設定される。これにより、液晶装置１００は、補正回路１１において正しい出力階調値と比較して大きくなってしまったＧＢの各色の階調値を、小さくすることができ、正しくガンマ補正された画像を表示画面に表示することができる。
【００３２】
なお、上述の例では、補正回路１１において、ＲＧＢの各色の画像データＲ１、Ｇ１、Ｂ１の階調値を、Ｒの色のガンマ特性を示すＬＵＴを用いてガンマ補正を行うとしているがこれに限られるものではない。Ｒの色のガンマ特性を示すＬＵＴを用いてガンマ補正を行う代わりに、Ｇ又はＢの色のガンマ特性を示すＬＵＴを用いてガンマ補正を行うとしてもよい。
【００３３】
例えば、補正回路１１においてＢの色のガンマ特性を示すＬＵＴを用いてガンマ補正を行う場合には、加算回路１３の代わりに減算回路が設けられ、当該減算回路では、ＲＧの色の出力信号Ｒ３、Ｇ３について、一定の電圧を減少させる調整が行われる。この場合、電圧の減少量は、補正回路１１においてＢの色のガンマ特性を基に補正されたＲＧの各色の階調値を夫々、ＲＧの各色のガンマ特性を基に補正されたとしたときの当該ＲＧの各色の階調値に合わせるように設定される。これによっても、正しくガンマ補正された画像を表示画面に表示することができる。
【００３４】
以上に述べたように、本発明の液晶装置は、ＲＧＢの各色のうち、いずれか１つの色のガンマ特性を基に、入力されたＲＧＢの各色の画像データの階調値の補正を行うガンマ補正回路と、階調値の補正が行われたＲＧＢの各色の画像データをアナログ信号に変換したＲＧＢの各色の出力信号を生成するデジタル・アナログ変換回路と、ＲＧＢの各色の出力信号のうち、当該１つの色以外の各色の出力信号を、当該１つの色以外の各色のガンマ特性に基づいて調整する調整回路と、を備える。このようにすることで、各色毎にガンマ特性を示すルックアップテーブルを持つ必要がなくなるので、ガンマ特性を示すルックアップテーブルを記憶するメモリの容量を小さくすることができ、ガンマ補正回路を単純化することができる。
【００３５】
[第２実施形態]
次に、本発明の第２実施形態について説明する。図５は、本発明の第２実施形態に係る液晶装置１００の概略構成を示すブロック図である。第２実施形態に係る液晶装置１００は、第１実施形態に係る液晶装置１００と異なり、加算回路１３の代わりに、オフセット回路２１を有している。オフセット回路２１が、本発明における調整回路として機能する。
【００３６】
第２実施形態について、第１実施形態で述べた例、即ち、ガンマ補正回路１１において、ＲＧＢの各色の画像データＲ１、Ｇ１、Ｂ１の階調値を、Ｒの色のガンマ特性を示すＬＵＴを用いて、ガンマ補正を行う例を用いて説明する。この場合、先に述べたように、Ｒの色の画像データＲ２の階調値は、正しい出力階調値にガンマ補正されているものの、ＧＢの各色の画像データＧ２、Ｂ２の階調値は、正しい出力階調値にガンマ補正されていない。
【００３７】
ＤＡＣ回路１２は、ガンマ補正回路１１より供給されたＲＧＢの各色の画像データＲ２、Ｇ２、Ｂ２をアナログ信号に変換し、アナログ信号に変換されたＲＧＢの各色の出力信号Ｒ３、Ｇ３、Ｂ３を出力回路１４に供給する。
【００３８】
出力回路１４は、ＲＧＢの各色の出力信号Ｒ３、Ｇ３、Ｂ３を増幅して、増幅された出力信号Ｒ６、Ｇ６、Ｂ６を、オフセット回路２１に供給する。
【００３９】
オフセット回路２１は、例えば、増幅回路より構成され、出力回路１４より供給されたＲＧＢの各色の出力信号Ｒ６、Ｇ６、Ｂ６を増幅し、増幅されたＲＧＢの各色の出力信号Ｒ７、Ｇ７、Ｂ７を、液晶表示パネル１５の信号電極に出力する。具体的には、ＧＢの各色の画像データＧ２、Ｂ２の階調値が、ガンマ補正回路１１において、正しい出力階調値にガンマ補正されていないので、オフセット回路２１は、ＧＢの各色の出力信号Ｇ６、Ｂ６を一定の倍率で増幅して、ＧＢの各色の出力信号Ｇ７、Ｂ７として出力する。一方、オフセット回路２１は、Ｒの色の出力信号Ｒ６については、正しい出力階調値にガンマ補正されているので、増幅せずに、そのまま出力信号Ｒ７として出力する。
【００４０】
なお、ここで、Ｇの色の出力信号Ｇ６を増幅するときの倍率をａｍｇとし、Ｂの色の出力信号Ｂ６を増幅するときの倍率をａｍｂとする。倍率ａｍｇ、ａｍｂの求め方としては、まず、液晶表示パネル１５の特性を基に、実験などにより、図３で示したＲＧＢの各色のガンマ特性を示すグラフ３３Ｒ、３３Ｇ、３３Ｂを予め求めておく。次に、補正回路１１においてＲの色のガンマ特性を用いて求められたＧの色の出力階調値を、Ｇの色のガンマ特性を用いて求められるＧの色の出力階調値に調整可能な増幅の倍率を、倍率ａｍｇとして求める。また、補正回路１１においてＲの色のガンマ特性を用いて求められたＢの色の出力階調値を、Ｂの色のガンマ特性を用いて求められるＢの色の出力階調値に調整可能な増幅の倍率を、倍率ａｍｂとして求める。従って、倍率ａｍｇ、ａｍｂが本発明における所定の値となる。
【００４１】
図６は、第２実施形態にとって好適な液晶装置１００のＲＧＢの各色のガンマ特性を示すグラフである。図６に示すグラフでは、どの入力階調値に対しても、ＧＢの各色のガンマ特性のグラフ３５Ｇ、３５Ｂより求められる出力階調値は夫々、Ｒの色のガンマ特性のグラフ３５Ｒより求められる出力階調値の定数倍となっている。
【００４２】
具体的には、どの入力階調値に対しても、Ｇの色のガンマ特性のグラフ３５Ｇより求められる出力階調値は、Ｒの色のガンマ特性のグラフ３５Ｒより求められる出力階調値のｍｇ倍（ｍｇ：定数）になっている。また、どの入力階調値に対しても、Ｂの色のガンマ特性のグラフ３５Ｂより求められる出力階調値は、Ｒの色のガンマ特性のグラフ３５Ｒより求められる出力階調値のｍｂ倍（ｍｂ：定数）になっている。このように、ｍｇ、ｍｂが、常に一定の倍率となっている場合には、倍率ａｍｇ、ａｍｂも一定の倍率として求めることができる。
【００４３】
なお、ここで、Ｂの色の階調値のずれの方が、Ｇの色の階調値のずれよりも大きくなるので、ノーマリーホワイトの液晶装置１００では、一定の倍率ａｍｇ、ａｍｂは、ａｍｂ＞ａｍｇとなる。
【００４４】
以上に述べたことから分かるように、オフセット回路２１において、倍率ａｍｇ、ａｍｂは、Ｒの色のガンマ特性を基に補正されたＧＢの各色の階調値を夫々、ＧＢの各色のガンマ特性を基に補正されたとしたときの当該ＧＢの各色の階調値に合わせるように設定される。これにより、液晶装置１００は、補正回路１１において正しい出力階調値と比較して大きくなってしまったＧＢの各色の階調値を、小さくすることができ、正しくガンマ補正された画像を表示画面に表示することができる。
【００４５】
なお、第２実施形態においても、補正回路１１において、ＲＧＢの各色の画像データＲ１、Ｇ１、Ｂ１の階調値を、Ｒの色のガンマ特性を示すＬＵＴを用いてガンマ補正を行うとしているがこれに限られるものではない。Ｒの色のガンマ特性を示すＬＵＴを用いてガンマ補正を行う代わりに、Ｇ又はＢの色のガンマ特性を示すＬＵＴを用いてガンマ補正を行うとしてもよいのは言うまでもない。
【００４６】
例えば、補正回路１１においてＢの色のガンマ特性を示すＬＵＴを用いてガンマ補正を行う場合には、オフセット回路２１では、ＲＧの色の出力信号Ｒ６、Ｇ６について、出力信号を減幅する調整が行われる。この場合、電圧を減幅するときの倍率は、補正回路１１においてＢの色のガンマ特性を基に補正されたＲＧの各色の階調値を夫々、ＲＧの各色のガンマ特性を基に補正されたとしたときのＲＧの各色の階調値に合わせるように設定される。これによっても、正しくガンマ補正された画像を表示画面に表示することができる。
【００４７】
以上に述べたように、第２実施形態に係る液晶装置によっても、ＲＧＢの各色毎にガンマ特性を示すルックアップテーブルを持つ必要がなくなるので、ガンマ特性を示すＬＵＴを記憶するメモリの容量を小さくすることができ、ガンマ補正回路を単純化することができる。
【００４８】
[応用例]
上述の各実施形態では、液晶装置は、ＲＧＢの各色のうち、いずれか１つの色のガンマ特性を基に、入力されたＲＧＢの各色の画像データの階調値の補正を行うガンマ補正回路と、階調値の補正が行われたＲＧＢの各色の画像データをアナログ信号に変換したＲＧＢの各色の出力信号を生成するデジタル・アナログ変換回路と、ＲＧＢの各色の出力信号のうち、当該１つの色以外の各色の出力信号を、当該１つの色以外の各色のガンマ特性に基づいて調整する調整回路と、を備えるとしている。しかしながら、画像データとしては、ＲＧＢの各色に限られるものではない。
【００４９】
液晶装置は、２色、又は、ＲＧＢにＣ（シアン）などの色を加えた４色以上の複数の互いに異なる色のうち、いずれか１つの色のガンマ特性を基に、入力された当該複数の色の各色の画像データの階調値の補正を行うガンマ補正回路と、階調値の補正が行われた当該複数の色の各色の画像データをアナログ信号に変換した当該複数の色の各色の出力信号を生成するデジタル・アナログ変換回路と、当該複数の色の各色の出力信号のうち、当該１つの色以外の各色の出力信号を、当該１つの色以外の各色のガンマ特性に基づいて調整する調整回路と、を備えるとしているとしてもよい。
【００５０】
[電子機器]
次に、上述した各実施形態に係る液晶装置１００を適用可能な電子機器の具体例について図７を参照して説明する。
【００５１】
まず、各実施形態に係る液晶装置１００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶装置１００を適用した表示部７１３とを備えている。
【００５２】
続いて、各実施形態に係る液晶装置１００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１００を適用した表示部７２４を備える。
【００５３】
なお、各実施形態に係る液晶装置１００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５４】
【図１】第１実施形態に係る液晶装置の概略構成を示すブロック図である。
【図２】液晶層に印加される電圧と当該液晶層の透過率の関係を示すグラフである。
【図３】入力階調値と出力階調値との関係を示すグラフである。
【図４】第１実施形態に好適な液晶装置のガンマ特性を示すグラフである。
【図５】第２実施形態に係る液晶装置の概略構成を示すブロック図である。
【図６】第２実施形態に好適な液晶装置のガンマ特性を示すグラフである。
【図７】各実施形態の液晶装置を適用した電子機器の例を示す図である。
【符号の説明】
【００５５】
１０  画像データ出力源、  １１  ガンマ補正回路、  １２  ＤＡＣ回路、  １３  加算回路、  １４  出力回路、  １５  液晶表示パネル、  １００  液晶装置
【図１】
2008180933.tif 000003
【図２】
2008180933.tif 000004
【図３】
2008180933.tif 000005
【図４】
2008180933.tif 000006
【図５】
2008180933.tif 000007
【図６】
2008180933.tif 000008
【図７】
2008180933.tif 000009